(57)【要約】      （修正有）【課題】フードを車椅子に取り付ける作業が不要であり、かつフードの収納場所を確保しなくてもよい利便性の高いフード付き車椅子を提供する。【解決手段】着座部４及び背もたれ部６を備える車椅子２と、この車椅子２に着座した利用者を覆うためのフード機構３とを備える。フード機構３を、背もたれ部６の縦枠体８から内向きに延びる左右一対の支持フレームと、これら支持フレームの内端に設けられた上下方向に長い左右一対の収容フレーム１１と、これら収容フレーム１１に上下方向に伸縮自在に収容された左右一対の伸縮ロッド１２と、これら伸縮ロッド１２に設けられると共に当該伸縮ロッド１２を伸ばすことで上方へ移行する折り畳み自在な折畳フードとで構成する。【選択図】図５
0003174020.tif 000002
【実用新案登録請求の範囲】
【請求項１】
着座部及び背もたれ部を備える車椅子と、この車椅子に着座した利用者を覆うためのフード機構と、を備えたフード付き車椅子であって、
前記フード機構は、前記背もたれ部の縦枠体から内向きに延びる支持フレームと、この支持フレームの内端に設けられた上下方向に長い収容フレームと、この収容フレームに上下方向に伸縮自在に収容された伸縮ロッドと、この伸縮ロッドに設けられると共に当該伸縮ロッドを伸ばすことで上方へ移行する折り畳み自在な折畳フードとを備えていることを特徴とするフード付き車椅子。
【請求項２】
前記折畳フードは、折り畳まれた収納状態から、利用者を覆うように前記着座部の上方へ展開された展開状態へ転換可能に折り畳まれた複数のフード部材を有していることを特徴とする請求項１に記載のフード付き車椅子。
【請求項３】
前記複数のフード部材は、前記展開状態において利用者の略真上を覆う第１のフード部材と、この第１のフード部材の前端に連結されて利用者の前斜め上方を覆う第２のフード部材とを有していることを特徴とする請求項２に記載のフード付き車椅子。
【請求項４】
前記複数のフード部材は、前記第２のフード部材の前端に連結されて利用者の前方を覆う第３のフード部材を有していることを特徴とする請求項３に記載のフード付き車椅子。
【請求項５】
前記複数のフード部材は、前記第１及び第２のフード部材のいずれか又は双方に設けられ、展開状態で利用者の横を覆うサブフード部材を有していることを特徴とする請求項３又は４に記載のフード付き車椅子。
【請求項６】
前記折畳フードは、前記伸縮ロッドの上端に固定された可動フレームを有しており、この可動フレームに前記複数のフード部材が設けられていることを特徴とする請求項２〜５のいずれかに記載のフード付き車椅子。
【請求項７】
前記支持フレームは、前記車椅子を畳む動きに連動して前記収容フレームと共に前記縦枠体を軸にして回動可能となっており、前記伸縮ロッドは、前記折畳フードと共に当該収容フレームに着脱自在に設けられていることを特徴とする請求項１〜６のいずれかに記載のフード付き車椅子。
【請求項８】
前記伸縮ロッドは、大きさの順に順次出入自在に嵌合された径の異なる複数の筒体で構成されていることを特徴とする請求項１〜７のいずれかに記載のフード付き車椅子。
【考案の詳細な説明】
【技術分野】
【０００１】
本考案は、車椅子の利用者を雨風、日差しなどからフードで守ることができ、必要のないときはフードを収納できるフード付き車椅子に関する。
【背景技術】
【０００２】
高齢者や障害者などによって車椅子が広く利用されている。車椅子の利用者は、雨の日などにはコートを着た状態で外出するようにしているが、コートを着る手間は非常に煩わしいものである。また、車椅子を押す介護者は、雨が降ると自分も濡れないようにするのと同時に、車椅子の方に傘をかざすようにするが、車椅子の利用者は多少でも雨に濡れてしまうのが現状である。
【０００３】
そこで、車椅子から立設させた支柱の上部に、天板を取り付けることで、雨風などから車椅子の利用者を防護するようにした保護フード付き車椅子が知られている（例えば、特許文献１参照）。
【先行技術文献】
【特許文献】
【０００４】
【特許文献１】特開２００８−６１７１３号公報
【考案の概要】
【考案が解決しようとする課題】
【０００５】
しかし、特許文献１の保護フード付き車椅子では、雨が降る度に保護フードを車椅子に取り付ける作業が必要であり、必要のないときには保護フードを置いておく収納場所を確保しなければならないといった問題がある。
【０００６】
そこで本考案は、上記従来技術の問題点に鑑み、フードを車椅子に取り付ける作業が不要であり、かつフードの収納場所を確保しなくてもよい利便性の高いフード付き車椅子を提供することを目的とする。
【課題を解決するための手段】
【０００７】
上記目的を達成するため、次の技術的手段を講じた。
即ち、本考案のフード付き車椅子は、着座部及び背もたれ部を備える車椅子と、この車椅子に着座した利用者を覆うためのフード機構と、を備えたフード付き車椅子であって、前記フード機構は、前記背もたれ部の縦枠体から内向きに延びる支持フレームと、この支持フレームの内端に設けられた上下方向に長い収容フレームと、この収容フレームに上下方向に伸縮自在に設けられた伸縮ロッドと、この伸縮ロッドに設けられると共に当該伸縮ロッドを伸ばすことで上方へ移行する折り畳み自在な折畳フードとを備えていることを特徴とする。
【０００８】
上記本考案によれば、背もたれ部に繋がる収容フレームに、伸縮自在となる伸縮ロッドが設けられると共に、伸縮ロッドを伸ばすことで上方へ移行する折り畳み自在な折畳フードが備えられているので、別体のフードを車椅子に取り付ける作業は不要であり、フードを置いておく収納場所を確保しなくてもよい。
【０００９】
前記折畳フードは、折り畳まれた収納状態から、利用者を覆うように前記着座部の上方へ展開された展開状態へ転換可能に折り畳まれた複数のフード部材を有していることが好ましい。この場合、必要のないときは折り畳んでコンパクトにでき、かつ必要となったときは着座部の上方へ展開して利用者を覆うことができる。
【００１０】
前記複数のフード部材は、前記展開状態において利用者の略真上を覆う第１のフード部材と、この第１のフード部材の前端に連結されて利用者の前斜め上方を覆う第２のフード部材とを有していることが好ましい。この場合、利用者の略真上及び前斜め上方を覆うことができる。
【００１１】
前記複数のフード部材は、前記第２のフード部材の前端に連結されて利用者の前方を覆う第３のフード部材を有していることが好ましい。この場合、利用者の前方を覆うことができる。
【００１２】
前記複数のフード部材は、前記第１及び第２のフード部材のいずれか又は双方に設けられ、展開状態で利用者の横を覆うサブフード部材を有していることが好ましい。この場合、利用者の上方や前方だけでなく、横を覆うことができる。
【００１３】
前記折畳フードは、前記伸縮ロッドの上端に固定された可動フレームを有しており、この可動フレームに前記複数のフード部材が設けられていることが好ましい。この場合、可動部材を持ち上げれば、複数のフード部材を上方へ引き上げることができる。
【００１４】
前記支持フレームは、前記車椅子を畳む動きに連動して前記収容フレームと共に前記縦枠体を軸にして回動可能となっており、前記伸縮ロッドは、前記折畳フードと共に当該収容フレームに着脱自在に設けられていることが好ましい。
この場合、車椅子を畳む動きに連動させて支持フレームと収容フレームを収納することができ、それと共に折畳フードを取り外すこともできる。これにより、車椅子を畳むことが可能となり、利便性を向上させることができる。
【００１５】
前記伸縮ロッドとしては、例えば、大きさの順に順次出入自在に嵌合された径の異なる複数の筒体で構成されているものが挙げられる。
【考案の効果】
【００１６】
上記の通り、本考案によれば、背もたれ部に繋がる収容フレームに、伸縮自在となる伸縮ロッドが設けられると共に、伸縮ロッドを伸ばすことで上方へ移行する折り畳み自在な折畳フードが備えられているので、別体のフードを車椅子に取り付ける作業は不要であり、フードを置いておく収納場所を確保しなくてもよく、利便性を向上させることができる。
【図面の簡単な説明】
【００１７】
【図１】本考案の一実施形態に係るフード付き車椅子の斜視図である。
【図２】フード付き車椅子の側面図である。
【図３】フード機構を説明するためのフード付き車椅子の背面図である。
【図４】折畳フードを展開させる状態を説明するための状態側面図である。
【図５】折畳フードを展開させたフード付き車椅子の斜視図である。
【考案を実施するための形態】
【００１８】
以下、本考案の実施形態について図面を参照して説明する。図１は本考案の一実施形態に係るフード付き車椅子１の斜視図であり、図２はフード付き車椅子１の側面図である。このフード付き車椅子１は、車椅子２と、この車椅子２に着座した利用者を覆うためのフード機構３とを備えている。車椅子２の形式、形状などは限定されるものではなく、例えば、自走式、介助式、自走介助兼用式の車椅子に適用することができる。なお、以下の説明において、車椅子２の上側、下側をそれぞれ単に上側、下側とし、車椅子２の左側、右側をそれぞれ単に左側、右側とする。
【００１９】
本実施形態のフード付き車椅子１は、利用者が着座する着座部４、この着座部４の前方に設けられて利用者の足を置く足置部５、着座部４の後方に設けられて利用者がもたれかかる背もたれ部６、及び左右一対の転輪部７とで構成されている。このうち、背もたれ部６は、上下方向に延びる左右一対の縦枠体８やこの縦枠体８に張られたシート材９などで構成されている。
【００２０】
フード機構３は背もたれ部６の背面に設けられており、図３に示すように、背もたれ部６の左右の縦枠体８から内向きに延びる左右一対の支持フレーム１０と、これら左右の支持フレーム１０の内端１０ａに設けられた上下方向に長い左右一対の収容フレーム１１と、これら左右の収容フレーム１１に上下方向に伸縮自在に収容された左右一対の伸縮ロッド１２と、これら左右の伸縮ロッド１２に設けられると共に当該左右の伸縮ロッド１２を伸ばすことで上方へ移行する折り畳み自在な折畳フード１３とで主に構成されている。
【００２１】
左右の支持フレーム１０は、それぞれ左右の縦枠体８の上下方向中途部に設けられた各回動部１４によって回動自在に設けられており、当該左右の縦枠体８間の中途部まで内方へ延びている。各回動部１４の存在によって、各支持フレーム１０は、車椅子２を畳む動きに連動して各収容フレーム１１と共に、縦枠体８を軸にして回動可能となっている。なお、左右の支持フレーム１０を回動自在とする各回動部１４は、周知の構成を採用すればよい。これにより、車椅子２を畳む動きに連動して、各支持フレーム１０と各収容フレーム１１を収納することができる。
【００２２】
左右の収容フレーム１１は、左右の支持フレーム１０の内端１０ａに固定されており、内部を収容部とする筒状となっている。各収容フレーム１１には、上下方向に伸縮自在な伸縮ロッド１２が収容されている。本実施形態の各伸縮ロッド１２は、大きさの順に順次出入自在に嵌合された径の異なる複数の筒体で構成されている。各伸縮ロッド１２の構成は、限定されるものではなく、伸縮自在となる棒状のものであればよい。
【００２３】
各伸縮ロッド１２の最も外側にある筒体１５は、各収容フレーム１１に固定部材１６で固定されており、各伸縮ロッド１２が引き伸ばされても当該各収容フレーム１１から抜け出ないようになっている。固定部材１６により、各伸縮ロッド１２の最も外側にある筒体１５は、各収容フレーム１１から取り外すこともできるようにもなっており、従って、各伸縮ロッド１２は、折畳フード１３と共に各収容フレーム１１に着脱自在となっている。
【００２４】
左右の伸縮ロッド１２に設けられた折畳フード１３は、左右の伸縮ロッド１２の上端１２ａに固定された左右方向へ長い可動フレーム１７と、この可動フレーム１７に取り付けられた複数のフード部材１８とを有している。可動フレーム１７は、車椅子２の左右の縦枠体８間の距離と略同じ長さを有しており、当該可動フレーム１７には、利用者が把持するための取手１９が取り付けられている。この取手１９は、図２前後方向に回動自在となっており、使用しないときは倒すことができるようになっている。
【００２５】
利用者が取手１９を把持して可動フレーム１７を上方へ持ち上げることで、左右の収容フレーム１１に収容された各伸縮ロッド１２が引き伸ばされるようになっている。従って、可動フレーム１７を上方へ持ち上げると、複数のフード部材１８も一緒に上方へ移行する。
【００２６】
図４は、折畳フード１３を展開させる状態を説明するための状態側面図であり、図５は、折畳フード１３を展開させたフード付き車椅子１の斜視図である。折畳フード１３を構成する複数のフード部材１８は、折り畳まれた収納状態から、利用者を覆うように着座部４の上方へ展開された展開状態へ転換可能に折り畳まれている。
【００２７】
複数のフード部材１８は、展開状態において利用者の略真上を覆う第１のフード部材２０と、この第１のフード部材２０の前端２０ａに連結されて利用者の前斜め上方を覆う第２のフード部材２１と、この第２のフード部材２１の前端２１ａに連結されて利用者の前方を覆う第３のフード部材２２と、第１のフード部材２０の左右両側に取り付けられ、展開状態で利用者の横を覆うサブフード部材２３とで構成されている。可動フレーム１７と第１のフード部材２０、第１のフード部材２０と第２のフード部材２１、第２のフード部材２１と第３のフード部材２２の間には、これら双方を互いに回動自在に連結する連結部材２４が設けられている。この連結部材２４には周知の構成が採用され、当該連結部材２４は、フード部材同士を連結しかつ回動自在とするものであれば、限定されるものではない。
【００２８】
取手１９を持って可動フレーム１７を持ち上げることで、折畳フード１３を上方へ移行させ、その後、図４のように前方へ倒し込み、折り畳まれた第１〜第３のフード部材２０、２１、２２のうち、第１のフード部材２０を残して、重なっている第２及び第３のフード部材２１、２２を前方へ倒し込み、続いて、第２のフード部材２１を残して第３のフード部材２２をさらに前方へ倒し込んで、折畳フード１３を図５に示す展開状態へ転換させる。
【００２９】
そして、さらに第１のフード部材２０の左右両側に取り付けられたサブフード部材２３を広げる。各サブフード部材２３の外端２３ａに棒状部材２６が設けられると共に、棒状部材２６の下端２６ａに紐状体２５が繋げられている。各サブフード部材２３を広げた状態で、棒状部材２６の下端２６ａに繋げた紐状体２５を、例えば車椅子２の縦枠体８に結びつけることで、各サブフード部材２３を広げたままの状態にすることができる。以上の構成によって、利用者の略真上、前斜め上方、前方、さらには横を覆うことができ、雨風、日差しなどから当該利用者を守ることができる。
【００３０】
上記本実施形態によれば、背もたれ部６に繋がる各収容フレーム１１に、伸縮自在となる各伸縮ロッド１２が設けられると共に、各伸縮ロッドを伸ばすことで上方へ移行する折り畳み自在な折畳フード１３が備えられているので、別体のフードを車椅子２に取り付ける作業は不要であり、フードを置いておく収納場所を確保しておかなくてもよく、利便性を向上させることができる。
【００３１】
折畳フード１３は、折り畳まれた収納状態から、利用者を覆うように着座部４の上方へ展開された展開状態へ転換可能に折り畳まれた複数のフード部材１８を有しているため、必要のないときは折り畳んでコンパクトにでき、かつ必要となったときは着座部４の上方へ展開して利用者を覆うことができる。
【００３２】
車椅子２を畳む動きに連動して、各支持フレーム１０と各収容フレーム１１を収納することができ、各伸縮ロッド１２は、折畳フード１３と共に当該各収容フレーム１１から取り外すことができるため、折畳フード１３を取り外して車椅子２を畳むことが可能となっており、利便性を向上させることができる。
【００３３】
上記実施形態は、例示であり制限的なものではない。フード機構の支持フレーム、収容フレーム、伸縮ロッド、折畳フードの形状、大きさなどは適宜変更することができる。例えば、第１のフード部材だけでなく、第２のフード部材や第３のフード部材にサブフード部材を取り付けてもよい。この場合、利用者の横のより広い範囲を覆うことができる。
【符号の説明】
【００３４】
１    フード付き車椅子
２    車椅子  
３    フード機構
４    着座部
６    背もたれ部
８    縦枠体
１０  支持フレーム
１１  収容フレーム
１２  伸縮ロッド
１３  折畳フード
１４  回動部
１５  筒体
１７  可動フレーム
１８  複数のフード部材      
１９  取手
２０  第１のフード部材
２１  第２のフード部材
２２  第３のフード部材
２３  サブフード部材
【図１】
0003174020.tif 000003
【図２】
0003174020.tif 000004
【図３】
0003174020.tif 000005
【図４】
0003174020.tif 000006
【図５】
0003174020.tif 000007